(57)【要約】【課題】本発明は、検索方法及び検索エンジンを提供する。【解決手段】検索方法は、検索エンジンが検索クエリを取得することと、検索エンジンが前記検索クエリに基づいて、検索クエリに対応する第１の検索結果と少なくとも１つの第１のレベルの要求ディメンションとを決定すると共に、検索エンジンが、検索結果ページに、第１の検索結果と少なくとも１つ第１のレベルの要求ディメンションとを提供することと、検索エンジンが、ユーザから少なくとも１つの第１のレベルの要求ディメンションに関する操作を取得すると共に、検索エンジンが、ユーザの操作に対応する要求ディメンションに基づいて検索結果ページにおける第１の検索結果と前記少なくとも１つの第１のレベルの要求ディメンションとを更新することとを含む。【選択図】図２
2015204099.tif 000002
【特許請求の範囲】
【請求項１】
検索エンジンが検索クエリを取得することと、
前記検索エンジンが、前記検索クエリに基づいて、第１の検索結果と前記検索クエリに対応する少なくとも１つの第１のレベルの要求ディメンションとを決定すると共に、前記検索エンジンが検索結果ページに前記第１の検索結果と前記少なくとも１つの第１のレベルの要求ディメンションとを提供することと、
前記検索エンジンがユーザによる前記少なくとも１つの第１のレベルの要求ディメンションに関する操作を取得すると共に、前記検索エンジンが、前記ユーザの操作に対応する要求ディメンションに基づいて、前記検索結果ページにおける前記第１の検索結果と前記少なくとも１つの第１のレベルの要求ディメンションとを更新することとを含む検索方法。
【請求項２】
前記検索エンジンは、複数のレベルの要求ディメンションを備え、前記検索エンジンは、前記検索クエリに対して意味解析を実行することによって前記検索クエリに対応する前記少なくとも１つの第１のレベルの要求ディメンションを決定する請求項１に記載の検索方法。
【請求項３】
前記少なくとも１つの第１のレベルの要求ディメンションにおける各第１のレベルの要求ディメンションは、複数の第１のレベルの要求ディメンションを備える請求項２に記載の検索方法。
【請求項４】
更に、クエリの照会頻度及び／又はユーザの検索記録に従って、前記少なくとも１つの第１のレベルの要求ディメンションにおける前記複数の第１のレベルの要求ディメンションを順序付けることを備える請求項３に記載の検索方法。
【請求項５】
前記少なくとも１つの第１のレベルの要求ディメンションは、複数の第１のレベルの要求ディメンションと各第１のレベルの要求ディメンションに対応する少なくとも１つのより下位のレベルの要求ディメンションとを備える請求項２に記載の検索方法。
【請求項６】
更に、前記検索エンジンが、前記ユーザの前記操作に対応する前記要求ディメンションに基づいて、前記検索結果ページに推奨項目を提供する請求項１乃至５のいずれか一項に記載の検索方法。
【請求項７】
前記検索エンジンが、前記ユーザの前記操作に対応する前記要求ディメンションに基づいて、前記検索結果ページにおける前記第１の検索結果と前記少なくとも１つ第１のレベルの要求ディメンションとを更新することは、
前記ユーザの前記操作に対応する前記要求ディメンションに基づいて、第２の検索結果を取得するために検索を実行すること、
前記ユーザの前記操作に対応する前記要求ディメンションに基づいて、少なくとも１つの第２のレベルの要求ディメンションを生成すること、及び
前記検索結果ページに前記第２の検索結果と前記少なくとも１つの第２のレベルの要求ディメンションとを提供することを備える請求項１乃至６のいずれか一項に記載の検索方法。
【請求項８】
検索クエリを取得するように構成される第１の取得モジュールと、
前記検索クエリに基づいて第１の検索結果と前記検索クエリに対応する少なくとも１つの第１のレベルの要求ディメンションとを決定するように構成される決定モジュールと、
検索結果ページに前記第１の検索結果と前記少なくとも１つの第１のレベルの要求ディメンションとを提供するように構成される提供モジュールと、
ユーザによる前記少なくとも１つの第１のレベルの要求ディメンションに対する操作を取得するように構成される第２の取得モジュールと、
前記ユーザの前記操作に対応する要求ディメンションに基づいて前記検索結果ページ中の前記第１の検索結果と前記少なくとも１つの第１のレベルの要求ディメンションとを更新するように構成される更新モジュールとを含む検索エンジン。
【請求項９】
前記検索エンジンは、複数のレベルの要求ディメンションを備え、前記検索クエリに対して意味解析を実行することによって前記検索クエリに対応する前記少なくとも１つの第１のレベルの要求ディメンションを決定する請求項８に記載の検索エンジン。
【請求項１０】
前記少なくとも１つの第１のレベルの要求ディメンションにおける各第１のレベルの要求ディメンションは、複数の第１のレベルの要求ディメンションを備える請求項９に記載の検索エンジン。
【請求項１１】
更に、クエリの照会頻度及び／又はユーザの検索記録に従って、前記少なくとも１つの第１のレベルの要求ディメンションにおける前記複数の第１のレベルの要求ディメンションを順序付けるように構成される順序付けモジュールを備える請求項１０に記載の検索エンジン。
【請求項１２】
前記少なくとも１つの第１のレベルの要求ディメンションは、複数の第１のレベルの要求ディメンションと各第１のレベルの要求ディメンションに対応する少なくとも１つのより下位のレベルの要求ディメンションとを備える請求項９に記載の検索エンジン。
【請求項１３】
更に、前記ユーザの前記操作に対応する前記要求ディメンションに基づいて、前記検索結果ページに推奨項目を提供するように構成される推奨モジュールを備える請求項８乃至１２のいずれか一項に記載の検索エンジン。
【請求項１４】
前記更新モジュールは、
前記ユーザの前記操作に対応する前記要求ディメンションに基づいて、第２の検索結果を取得するために検索を実行するように構成される実行ユニットと、
前記ユーザの前記操作に対応する前記要求ディメンションに基づいて、少なくとも１つの第２のレベルの要求ディメンションを生成するように構成される生成ユニットと、
前記検索結果ページに前記第２の検索結果と前記少なくとも１つの第２のレベルの要求ディメンションとを提供するように構成される提供ユニットとを備える請求項８乃至１３のいずれか一項に記載の検索エンジン。
【請求項１５】
請求項１乃至７のいずれか一項に係る検索方法を実行するための１つ以上のプログラムを備える非一時的コンピュータ可読記憶媒体。
【発明の詳細な説明】
【技術分野】
【０００１】
本発明は、概して検索技術、より具体的には、検索方法及び検索エンジンに関する。
【背景技術】
【０００２】
現在、ユーザは、通常、検索エンジンを使用してインターネット情報を取得する。特に、最初に、ユーザは、検索クエリを入力し、次に、検索エンジンは、ユーザが入力した検索クエリに従ってウェブページやウェブサービスにおいて検索クエリに対応する検索結果をマッチングし、順序付けして、ユーザに提供し、最後に、ユーザは、検索エンジンによって提供された検索結果に従ってインターネット情報を取得する。
【０００３】
検索クエリマッチングに基づく上述の検索メカニズムには以下の幾つかの問題点がある。（１）ユーザは、検索クエリを構成する方法を知らない可能性があり、従って、ユーザの要求を満足する検索結果が得られない。（２）検索結果がユーザの要求を満足しない場合、ユーザは、再び検索を実行するために検索クエリを変える必要がある。例えば、関連技術に係る検索エンジンによって提供される推奨項目の概略図である図１ａを参照すると、ユーザは、再び検索を実行するために検索エンジンによって提供される推奨項目から１つの推奨項目を選択できる。推奨項目は、ユーザが入力する検索クエリに基づいて拡張されるので、人気のある検索クエリのみがユーザに提供され、それら人気のある検索クエリがユーザの要求を満足できない可能性がある。（３）ユーザが、記述が困難な物（エンティティ、リソース等のような）の属性や関連情報に焦点を当てる場合、ユーザは、通常、検索結果が十分には正確ではない結果となり得る検索を実行する属性や関連する情報無しで広範な検索クエリを入力し、結果、ユーザの検索コストの上昇となる。
【０００４】
要約すると、ユーザは、検索クエリに対応する現在の検索結果に満足せず、検索クエリを変更し、又は関連する検索クエリをクリックし、又は推奨項目を使用して、より良好な検索結果を得ることを望む。しかしながら、ユーザが、検索クエリを変更し、又は関連する検索クエリをクリックし、又は推奨項目を使用して、検索エンジンによって提供される満足のいく検索結果を取得できない場合、ユーザの満足度は低下し、又は、何ら有用な検索結果を取得することなく数回トライした後にその検索エンジンを放棄する可能性があり、ユーザに挫折感を与えることになる。
【０００５】
加えて、上述の検索クエリマッチングに基づく検索メカニズムでは、検索エンジンによって提供される検索結果は、しばしばユーザの要求を満足できない。図１ｂを参照すると、図１ｂは、関連技術に係る検索エンジンによって検索結果を提供する概略図である。図１ｂに示されるように、ユーザは、この時、検索クエリ「ハスキーの訓練方法」を入力し、ユーザは、完全な一連のハスキーの訓練方法を取得することを望むが、検索結果は、ユーザの要求を明らかに満足できていない。
【発明の概要】
【発明が解決しようとする課題】
【０００６】
本発明は、関連技術に存する問題の少なくとも１つを少なくともある範囲で解決することを目的とする。
【０００７】
従って、本発明の第１の目的は、検索方法を提供することである。
【０００８】
本発明の第２の目的は、検索エンジンを提供することである。
【課題を解決するための手段】
【０００９】
上記目的を達成するために、本発明の第１の態様の実施形態に従って、検索エンジンにが検索クエリを取得することと、前記検索エンジンが、前記検索クエリに基づいて第１の検索結果と前記検索クエリに対応する少なくとも１つの第１のレベルの要求ディメンション（ｄｅｍａｎｄ  ｄｉｍｅｎｓｉｏｎｓ）とを決定すると共に、前記検索エンジンが検索結果ページに前記第１の検索結果と前記少なくとも１つ第１のレベルの要求ディメンションとを提供することと、前記検索エンジンが、ユーザから前記少なくとも１つ第１のレベルの要求ディメンションに関する操作を取得すると共に、前記検索エンジンが、前記ユーザの操作に対応する要求ディメンションに基づいて前記検索結果ページにおける前記第１の検索結果と前記少なくとも１つの第１のレベルの要求ディメンションとを更新することとを含む検索方法が提供される。
【００１０】
本発明の一実施形態に係る検索方法では、前記検索エンジンが、前記検索クエリに基づいて、前記第１の検索結果と前記検索クエリに対応する少なくとも１つの第１のレベルの要求ディメンションを決定する。これにより、一方では、ユーザは、前記少なくとも１つの第１のレベルの要求ディメンションに基づいてユーザの要求に対応する前記検索クエリ及び対応する検索結果を迅速に検出でき、ユーザが、ユーザの要求を満足する検索結果を取得するための検索クエリを構成する方法を知らないという関連技術の欠点を克服することができ、それによって、ユーザが検索クエリを構成する方法を知らない場合でも、ユーザの要求を満足する検索結果が、複数のレベルの要求ディメンションに従って段階的に明確にされることができる。他方では、ユーザは、検索結果ページにおける異なる要求ディメンションをクリックすることによって対応する検索結果を取得できる、即ち、検索結果は、再び、検索を実行することなく知的インターフェースによって自動的に取得されることができ、ユーザの検索コストが減少されることができる。また、要求ディメンションは、検索クエリの意味論的意味に密に関連し且つユーザの要求を満足する多方向の相関情報であり、例えば、複数のレベルの要求ディメンションは、複数の第１のレベルの要求ディメンションによって検索クエリの横方向の相関情報を表し、また、複数のより下位のレベルの要求ディメンションによって縦方向の相関情報を表し、それによって、情報（解決方法、価格情報及び操作ボタンを備えることができる）は、多方向からユーザに提供されることができる。その結果、ユーザは、要求を満足する検索結果を取得できる。
【００１１】
上記目的を達成するために、本発明の第２の態様の実施形態に従って、検索クエリを取得するように構成される第１の取得モジュールと、前記検索クエリに基づいて第１の検索結果と前記検索クエリに対応する少なくとも１つの第１のレベルの要求ディメンションとを決定するように構成される決定モジュールと、検索結果ページに前記第１の検索結果と前記少なくとも１つの第１のレベルの要求ディメンションを提供するように構成される提供モジュールと、ユーザから前記少なくとも１つの第１のレベルの要求ディメンションに関する操作を取得するように構成される第２の取得モジュールと、前記ユーザの前記操作に対応する要求ディメンションに基づいて前記検索結果ページ中の前記第１の検索結果と前記少なくとも１つの第１のレベルの要求ディメンションとを更新するように構成される更新モジュールとを含む検索エンジンが提供される。
【００１２】
本発明の一実施形態に係る検索エンジンでは、当該検索エンジンが、前記検索クエリに基づいて第１の検索結果と前記検索クエリに対応する少なくとも１つの第１のレベルの要求ディメンションを決定する。これによって、一方では、ユーザは、前記少なくとも１つの第１のレベルの要求ディメンションに基づいて、ユーザの要求に対応する検索クエリ及び対応する検索結果を迅速に検出でき、ユーザは、ユーザの要求を満足する検索結果を取得するための検索クエリを構成する方法を知らないという関連技術の欠点が克服されることができ、それによって、ユーザが検索クエリを構成する方法を知らない場合でも、ユーザの要求を満足する検索結果が、複数のレベルの要求ディメンションに従って段階的に明確にされることができ、他方では、ユーザは、検索結果ページにおける異なる要求ディメンションをクリックすることによって対応する検索結果を取得できる、即ち、検索結果は、再び、検索を実行することなく知的インターフェースによって自動的に取得されることができ、ユーザの検索コストが減少されることができる。また、要求ディメンションは、検索クエリの意味論的意味に密に関連し且つユーザの要求を満足する多方向の相関情報であり、例えば、複数のレベルの要求ディメンションは、複数の第１のレベルの要求ディメンションによって検索クエリの横方向の相関情報を表し、また、複数のより下位のレベルの要求ディメンションによって縦方向の相関情報を表し、それによって、情報（解決方法、価格情報及び操作のボタンを備えることができる）は、多方向からユーザに提供されることができ、結果、ユーザは、要求を満足する検索結果を取得できる。
【００１３】
本発明の第３の態様の実施形態は、本発明の実施形態によって提供される検索方法を実行するための１つ以上のプログラムを含む、非一時的コンピュータ可読記憶媒体を提供する。
【００１４】
本発明の実施形態の追加の態様及び利点は、部分的には以下の記述で与えられる、又は部分的には以下の記述から明らかとなる、又は本発明の実施形態の実施から学習される。
【図面の簡単な説明】
【００１５】
【図１ａ】関連技術に係る検索エンジンによって提供される推奨項目の概略図である。
【図１ｂ】関連技術に係る検索エンジンによって提供される検索結果の概略図である。
【図２】本発明の一実施形態に係る検索方法のフローチャートである。
【図３ａ】本発明の一実施形態に係る検索結果ページの概略図である。
【図３ｂ】本発明の他の一実施形態に係る検索結果ページの概略図である。
【図３ｃ】本発明の更に他の一実施形態に係る検索結果ページの概略図である。
【図４】本発明の他の一実施形態に係る検索方法のフローチャートである。
【図５】本発明の一実施形態に係る検索エンジンのブロック図である。
【図６】本発明の一実施形態に係る更新モジュールのブロック図である。
【図７】本発明の他の一実施形態に係る検索エンジンのブロック図である。
【図８】本発明の更に他の一実施形態に係る検索エンジンのブロック図である。
【発明を実施するための形態】
【００１６】
本発明の実施形態のこれら及び他の態様及び利点は、添付の図面を参照してなされる以下の記述から明白になり且つより容易に理解される。
【００１７】
本発明の実施形態は詳細に参照される。本発明の実施形態は、図面に示され、同じ又は類似の要素及び同じ又は類似の機能を有する要素は、記述全体にわたって同様の参照番号によって示される。図面に従ってここで記述される実施形態は、説明的且つ例示的であり、本発明を制限するようには解釈されない。
【００１８】
また、本明細書において「第１の（ｆｉｒｓｔ）」及び「第２の（ｓｅｃｏｎｄ）」は、記述目的で使用されており、相対的な重要性や有意性を指す又は暗示する意図はない。従って、「第１の（ｆｉｒｓｔ）」及び「第２の（ｓｅｃｏｎｄ）」で定義される特徴は、１つ以上のこの特徴を備えていてもよい。本発明の記述において、用語「複数の（ａ  ｐｌｕｒａｌｉｔｙ  ｏｆ）」は、特別な説明がない場合、２つ以上を意味する。
【００１９】
検索クエリマッチングに基づく検索メカニズムにおける問題を解決するために、本発明の実施形態に係る検索方法と検索エンジンが提供される。以下では、本発明の実施形態に係る検索方法と検索エンジンは、図面を参照して詳細に説明される。
【００２０】
検索方法は、検索エンジンが検索クエリを取得することと、前記検索エンジンが前記検索クエリに基づいて第１の検索結果と前記検索クエリに対応する少なくとも１つの第１のレベルの要求ディメンションとを決定すると共に、前記検索エンジンが前記第１の検索結果と前記少なくとも１つの第１のレベルの要求ディメンションとを検索結果ページに提供することと、前記検索エンジンがユーザによる前記少なくとも１つの第１のレベルの要求ディメンションに関する操作を取得すると共に前記検索エンジンが前記ユーザの前記操作に対応する要求ディメンションに基づいて前記検索結果ページにおける前記第１の検索結果と前記少なくとも１つの第１のレベルの要求ディメンションとを更新することとを含む。
【００２１】
図２は、本発明の一実施形態に係る検索方法のフローチャートである。
【００２２】
図２に示されるように、検索方法は以下のステップを含む。
【００２３】
ステップＳ２０１では、検索エンジンが検索クエリを取得する。
【００２４】
具体的には、幾つかの実施形態では、ユーザは、検索エンジンによって提供される入力ボックスに検索クエリを入力することにより、その検索エンジンに検索クエリを取得させることができる。また、ユーザは、種々のクイック検索用入力ボックスに検索クエリを入力することにより、検索エンジンに検索クエリを取得させることができる。本方法の実施形態では、これについて特に制限していない。
【００２５】
ステップＳ２０２では、検索エンジンが検索クエリに基づいて第１の検索結果と前記検索クエリに対応する少なくとも１つの第１のレベルの要求ディメンションとを決定すると共に、検索エンジンが前記第１の検索結果と前記少なくとも１つの第１のレベルの要求ディメンションとを検索結果ページに提供する。
【００２６】
具体的には、検索エンジンが第１の検索結果を決定することは、関連技術を参照でき、それは、本発明の実施形態においては限定されない。検索クエリに対応する要求ディメンションは、要求の強さに従い知識ベースを掘り出すことによって得られ且つ検索クエリの意味論的意味に関連する多方向的情報であり、検索クエリに対して異なる要求に対応する相関情報を表すことができる。要求ディメンションは、検索クエリの意味論的意味に関連する横方向の相関情報を表すことができ、また、検索クエリの意味論的意味に関連する縦方向の相関情報を表すこともできる。
【００２７】
幾つかの実施形態では、検索エンジンは、複数のレベルの要求ディメンションを含み、各第１のレベルの要求ディメンションは、複数の第１のレベル要求ディメンションを含み、且つ各第１のレベルの要求ディメンションは、少なくとも１つのより低位のレベルの要求ディメンションに対応する。複数の第１のレベルの要求ディメンションは、横方向の相関情報を表すことができ、複数のレベルの要求ディメンションは、縦方向の相関情報を表すことができ、それによって、ユーザの種々の要求は、多側面において十分にカバーされることができ、従って、ユーザは、要求を満足する検索結果を取得できる。
【００２８】
例えば、検索クエリ「ハスキー」に対応する第１のレベルの要求ディメンションは、「購入の決定方法」、「無邪気なハスキー」、「飼育方法」及び「逸話」でありえる。各第１のレベルの要求ディメンションは、少なくとも１つの第２のレベルの要求ディメンションに対応する事ができる。例えば、第１のレベルの要求ディメンション「購入の決定方法」は、「ハスキーの価格は」、「飼育しやすいか？」、「純種犬の見分け」及び「更なる購入の決定方法」のような第２のレベルの要求ディメンションに対応することができる。
【００２９】
図３ａは、本発明の一実施形態に従う検索結果ページの概略図であり、図３ａに示されるように、ユーザによって入力される検索クエリ「ハスキー」に関して、検索結果ページは、「購入の決定方法」、「無邪気なハスキー」、「飼育方法」、及び「逸話」のような複数の同じレベルの要求ディメンション（即ち、第１のレベルの要求ディメンション）を領域１に提供できる。各第１のレベルの要求ディメンションに対応する複数のより下位の要求ディメンション（即ち、第２のレベルの要求ディメンション）は、各第１のレベルの要求ディメンションが配置される領域に提供され、例えば、「購入の決定方法」に関しては、「ハスキーの価格は」、「飼育しやすいか？」、「純種犬の見分け」及び「ほかの購入の決定方法」のような要求ディメンションが提供されることができる。プリセットストラテジーに従って、その１つの要求ディメンションに対応する検索結果は、領域２に表示されることができ、プリセットストラテジーは、本発明では限定されない。例えば、要求ディメンション「ハスキーの価格は」に対応する検索結果は、図３ａに表示されることができる。
【００３０】
幾つかの実施形態では、ユーザは、領域１のボタン３をクリックしてより多くの要求ディメンションを見ることができる。
【００３１】
ステップＳ２０３では、検索エンジンがユーザからの前記少なくとも１つの第１のレベルの要求ディメンションに対する操作を取得すると共に、検索エンジンがユーザの操作に対応する要求ディメンションに基づいて検索結果ページの第１の検索結果と少なくとも１つ第１のレベルの要求ディメンションとを更新する。
【００３２】
具体的には、検索エンジンが第１の検索結果と少なくとも１つ第１のレベルの要求ディメンションとを提供した後、ユーザは、ユーザの要求に従って適切な操作を実行できる。検索エンジンは、ユーザの操作に従って第１の検索結果と少なくとも１つ第１のレベルの要求ディメンションとを決定できると共に、当該決定に基づいて検索結果ページを更新できる。
【００３３】
図３ｂは、本発明の他の一実施形態に従う検索結果ページの概略図であり、ユーザが要求ディメンション「購入の決定方法」をクリックした後、図３ｂに示されるように、更新された検索結果ページは、要求ディメンション「購入の決定方法」に対応するより下位の要求ディメンション、例えば、「ハスキーの価格は」、「飼育しやすいか？」、「ハスキーは、毛が抜けやすいか？」を領域４に提供すると共に、要求ディメンション「購入の決定方法」に対応する検索結果を領域５に提供する。また、ユーザは、領域４の右側のボタン６をクリックして要求ディメンション「購入の決定方法」に対応する他のより下位のレベルの要求ディメンションを見ることができる。
【００３４】
また、ユーザが要求ディメンション「購入の決定方法」をクリックすると、検索クエリを再び入力することなく、検索クエリは「ハスキーをどのように入手できるか」へ自動的に変換され、従って、ユーザの操作が減少されうる。
【００３５】
幾つかの実施形態では、現在の要求ディメンションに対応する幾つかのより上位の高いレベルの要求ディメンションが、検索エンジンによって検索結果ページに提供されることができ、例えば、図３ｂにおいて領域４の部分ａに示されるように、ユーザは、対応する要求ディメンションをクリックして検索結果ページの検索結果を更新できる。
【００３６】
当然のことながら、上記例は、単なる例示であり、当業者は、本発明の趣旨、原理及び範囲から逸脱することなく、実施形態において変化、置換及び変更を行うことができる。
【００３７】
本発明の一実施形態に係る検索方法では、前記検索エンジンが、前記検索クエリに基づいて、第１の検索結果と前記検索クエリに対応する少なくとも第１のレベルの要求ディメンションとを決定する。これにより、一方では、ユーザは、前記少なくとも１つの第１のレベルの要求ディメンションに基づいて、ユーザの要求に対応する検索クエリ及び対応する検索結果を迅速に検出でき、ユーザは、ユーザの要求を満足する検索結果を取得するための検索クエリを構成する方法を知らないとの関連技術の欠点が克服される。ユーザが検索クエリを構成する方法を知らない場合でも、ユーザの要求を満足する検索結果が、複数のレベルの要求ディメンションに基づいて段階的に確定されることができる。他方では、ユーザは、検索結果ページにおける異なる要求ディメンションをクリックすることによって対応する検索結果を取得できる、即ち、検索結果は、再び、検索を実行することなく知的インターフェースによって自動的に取得されることができ、ユーザの検索コストが減少されることができる。また、要求ディメンションは、検索クエリの意味論的意味に密に関連し且つユーザの要求を満足し、多側面的な多方向的相関情報であり、例えば、複数のレベルの要求ディメンションは、複数の第１のレベルの要求ディメンションによって検索クエリの横方向の相関情報を表し、また、複数の下方レベルの要求ディメンションによって検索クエリの縦方向の相関情報を表し、それによって、情報（解決方法、価格情報及び操作のボタンを備えることができる）は、多くの側面でユーザに提供されることができる。それにより、ユーザは、要求を満足する検査結果を取得できる。
【００３８】
図４は、本発明の他の一実施形態に係る検索方法のフローチャートである。
【００３９】
図４に示されるように、検索方法は以下のステップを含む。
【００４０】
ステップＳ４０１では、検索エンジンが検索クエリを取得する。
【００４１】
具体的には、幾つかの実施形態では、ユーザは、検索エンジンによって提供される入力ボックスに検索クエリを入力してその検索エンジンに検索クエリを取得させることができ、また、ユーザは、種々のクイック検索用入力ボックスへ検索クエリを入力して、検索エンジンに検索クエリを取得させることができる。これは、本方法の実施形態において限定されていない。
【００４２】
ステップＳ４０２では、検索エンジンが検索クエリに基づいて第１の検索結果と前記検索クエリに対応する少なくとも１つの第１のレベルの要求ディメンションとを決定すると共に、検索エンジンが前記第１の検索結果と前記少なくとも１つの第１のレベルの要求ディメンションとを検索結果ページに提供する。
【００４３】
具体的には、検索エンジンが第１の検索結果を決定することは、関連技術を参照でき、それは、本発明の実施形態においては限定されない。検索クエリに対応する要求ディメンションは、要求の強さに従い知識ベースを掘り出すことによって得られ且つ検索クエリに意味論的意味に関連する多方向的情報であり、検索クエリに対して異なる要求に対応する相関情報を表すことができる。要求ディメンションは、検索クエリの意味論的意味に関連する横方向の相関情報を表すことができ、検索クエリの意味論的意味に関連する縦方向相関情報を表すこともできる。
【００４４】
幾つかの実施形態では、検索エンジンは、複数のレベルの要求ディメンションを含み、各第１のレベルの要求ディメンションは、複数の第１のレベル要求ディメンションを含み、且つ各第１のレベルの要求ディメンションは、少なくとも１つのより低いレベルの要求ディメンションに対応する。複数の第１のレベルの要求ディメンションは、横方向の相関情報を表すことができ、複数のレベルの要求ディメンションは、縦方向の相関情報を表すことができる。それによって、ユーザの種々の要求は、多くの側面において十分にカバーされ、従って、ユーザは、要求を満足する検索結果を取得できる。
【００４５】
例えば、検索クエリ「ハスキー」に対応する第１のレベルの要求ディメンションは、「購入の決定方法」、「無邪気なハスキー」、「飼育方法」、「逸話」でありえる。各第１のレベルの要求ディメンションは、少なくとも１つの第１のレベルの要求ディメンションに対応することができる。例えば、第１のレベルの要求ディメンション「購入の決定方法」は、「ハスキーの価格」、「飼育しやすいか？」、「純種犬の見分け」及び「ほかの購入の決定方法」のような第２のレベルの要求ディメンションに対応することができる。
【００４６】
図３ａは、本発明の一実施形態に従う検索結果ページの概略図であり、図３ａに示されるように、ユーザの入力する検索クエリ「ハスキー」に関して、検索結果ページは、同じレベル（即ち、第１のレベルの要求ディメンション）で「購入の決定方法」、「無邪気なハスキー」、「飼育方法」及び「逸話」のような複数の要求ディメンションを領域１に提供できる。各第１のレベルの要求ディメンションに対応する複数のより下位の要求ディメンション（即ち、第２のレベルの要求ディメンション）は、各第１のレベルの要求ディメンションが配置される領域に提供され、例えば、要求ディメンション（「ハスキーの価格」、「飼育しやすいか？」、「純種犬の見分け」及び「ほかの購入の決定方法」のような）は、「購入の決定方法」に関して提供されえる。プリセットストラテジーに基づいて、その１つの要求ディメンションに対応する検索結果は、領域２に表示されることができ、プリセットストラテジーは、本発明では限定されない。例えば、要求ディメンション「ハスキーの価格」に対応する検索結果は、図３ａに表示されることができる。
【００４７】
幾つかの実施形態では、ユーザは、領域１のボタン３をクリックしてより多くの要求ディメンションを見ることができる。
【００４８】
ステップＳ４０３では、検索エンジンがユーザによる前記少なくとも１つの第１のレベルの要求ディメンションに対する操作を取得する。
【００４９】
例えば、検索エンジンが少なくとも１つの第１のレベルの要求ディメンションを提供した後、ユーザは、対応する要求ディメンションに関してクリックでき、且つ検索エンジンは、ユーザから対応する要求ディメンションに関する操作を取得することができる。
【００５０】
ステップＳ４０４では、検索エンジンが検索を実行してユーザの操作に対応する要求ディメンションに基づいて第２の検索結果を取得できる。
【００５１】
例えば、図３ａに示されるように、ユーザが要求ディメンション「購入の決定方法」をクリックすると、検索エンジンは、要求ディメンション「購入の決定方法」に従って第２の検索結果を取得できる。
【００５２】
ステップＳ４０５では、前記少なくとも１つの第２のレベルの要求ディメンションがユーザの操作に対応する要求ディメンションに従って生成される。
【００５３】
例えば、図３ａに示されるように、ユーザが要求ディメンション「購入の決定方法」をクリックすると、「ハスキーの価格」、「飼育しやすいか？」、「純種犬の見分け」及び「ほかの購入の決定方法」のような第２のレベルの要求ディメンションが検索エンジンによって生成しうる。
【００５４】
当然のことながら、ステップＳ４０４とＳ４０５は、順序に関係なく実行される。
【００５５】
ステップＳ４０６では、検索エンジンが、第２の検索結果と少なくとも１つの第２のレベルの要求ディメンションを検索結果ページに提供する。
【００５６】
例えば、検索結果ページに提供される第２の検索結果と少なくとも１つの第２のレベルの要求ディメンションは、図３ｂに示されるようになっている。
【００５７】
本発明の一実施形態に係る検索方法では、第２の検索結果と少なくとも１つの第２のレベルの要求ディメンションは、ユーザの操作に対応する要求ディメンションに基づいて検索結果ページに提供されることができる。それによって、第２の検索結果と少なくとも１つの第２のレベルの要求ディメンションは、ユーザの要求と意図に応じることができ、ユーザの要求は、直接確定されることができ、それによって、検索クエリを再び入力することによって引き起こされるユーザの検索コストが減少する。
【００５８】
幾つかの実施形態では、要求ディメンションは、種々の方法で取得することができ、例えば、要求ディメンションは、ユーザの検索ログを解析することによって取得することができる。幾つかの実施形態では、検索エンジンは、検索結果を意味解析することによって検索クエリに対応する少なくとも１つの第１のレベルの要求ディメンションを決定し、そこでは、意味解析は、ここでは記述されないが、関連技術を参照して理解されえる。
【００５９】
幾つかの実施形態では、検索方法は、更に、クエリの照会頻度及び／又はユーザの検索記録に従って前記少なくとも１つの第１のレベルの要求ディメンションにおいて前記複数の第１のレベルの要求ディメンションを順序付けるステップ（図示せず）を含む。具体的には、複数の第１のレベルの要求ディメンションを順序付けることは、ここでは述べないが、関連技術を参照できる。人気のある要求ディメンションは、複数の第１のレベルの要求ディメンションを順序付けることによって第１のレベルの要求ディメンションのリストのトップに位置することができる。
【００６０】
幾つかの実施形態では、検索方法は、更に、ユーザの操作に対応する要求ディメンションに基づいて検索結果ページに推奨項目を提供するステップ（図示せず）を含む。具体的には、その推奨項目は、検索クエリに関連するエンティティでありえ、それによって、推奨項目は、ユーザが全ての側面から検索クエリに関連するエンティティを理解するのを助ける。その推奨項目は、潜在的且つ後発的需要や関連する訴求であってもよい。また、推奨項目は、ユーザがユーザの検索意図を明瞭にすることを助けるために要求ディメンションを提供することに加えて、ユーザにより多くの関連するエンティティを提供することができる。このように、ユーザは、残念に思うことなく、推奨項目は、ユーザの操作に対応する要求ディメンションに基づいて検索結果ページ中に提供されることができる。例えば、図３ｃは、本発明の更に他の一実施形態に従う検索結果ページの概略図であり、図３ｃに示されるように、ユーザが検索クエリ「ハスキーに」を検索する時に、検索エンジンは、検索結果ページに「ハスキーに死んだ振りを教える」方法を提供でき、ユーザは、当該トレーニング方法を取得した後、「関連する犬」及び「他のユーザによる検索」のような関連するエンティティは、領域７においてユーザに提供されることができる。ユーザは、大抵、潜在的な要求又は関連する訴求も抱えている。ユーザは、これらの取れにング方法を閲覧した後、ハスキーに死んだ振りを教えることが困難だと感じる場合、ユーザは、ハスキーのトレーニングを助けるペットトレーニングの専門機構を知りたくなることがあり、さらに、ハスキーをトレーニングする有名な犬トレーナーを知りたくなることもある。従って、検索エンジンは、図３ｃにおける領域８において、ペットトレーニングの専門機構及び有名な犬トレーナーを推奨することもできる。
【００６１】
上述の実施形態を達成するために、本発明の実施形態に係る検索エンジンが提供される。
【００６２】
検索エンジンは、検索クエリを取得するように構成される第１の取得モジュールと、前記検索クエリに基づいて、第１の検索結果と前記検索クエリに対応する少なくとも１つの第１のレベルの要求ディメンションを決定するように構成される決定モジュールと、検索結果ページに前記第１の検索結果と前記少なくとも１つの第１のレベルの要求ディメンションを提供するように構成される提供モジュールと、ユーザによる前記少なくとも１つの第１のレベルの要求ディメンションに関する操作を取得するように構成される第２の取得モジュールと、前記ユーザの前記操作に対応する要求ディメンションに基づいて前記検索結果ページ中の前記第１の検索結果と前記少なくとも１つの第１のレベルの要求ディメンションとを更新するように構成される更新モジュールとを含む。
【００６３】
図５は、本発明の一実施形態に係る検索エンジンのブロック図である。
【００６４】
図５に示されるように、検索エンジンは、第１の取得モジュール１１０、決定モジュール１２０、提供モジュール１３０、第２の取得モジュール１４０及び更新モジュール１５０を含む。
【００６５】
具体的には、第１の取得モジュール１１０は、検索クエリを取得するように構成される。より具体的には、幾つかの実施形態では、ユーザは、検索エンジンによって提供される入力ボックスに検索クエリを入力して第１の取得モジュール１１０に検索クエリを取得させることができ、また種々のクイック検索用入力ボックスに検索クエリを入力して第１の取得モジュール１１０に検索クエリを取得させることができる。このことは、本方法の実施形態に制限されることはない。
【００６６】
決定モジュール１２０は、検索クエリに基づいて第１の検索結果と検索クエリに対応する少なくとも１つの第１のレベルの要求ディメンションとを決定するように構成される。より具体的には、決定モジュール１２０による第１の検索結果の決定は、従来の技術を参照でき、本発明の実施形態では制限されない。検索クエリに対応する要求ディメンションは、要求の強さに基づいて知識ベースを掘り出すことによって取得され且つ検索クエリの意味論的意味に関連する多方向的情報であり、検索クエリに対する異なる要求に対応する相関情報を表すことができる。要求ディメンションは、検索クエリの意味論的意味に関連する横方向の相関情報を表すことができ、また、検索クエリの意味論的意味に関連する縦方向の相関情報を表すこともできる。
【００６７】
幾つかの実施形態では、検索エンジンは、複数のレベルの要求ディメンションを含み、各第１のレベルの要求ディメンションは、複数の第１のレベル要求ディメンションを含み、且つ各第１のレベルの要求ディメンションは、少なくとも１つのより下位のレベルの要求ディメンションに対応する。複数の第１のレベルの要求ディメンションは、横方向の相関情報を表すことができ、複数のレベルの要求ディメンションは、縦方向の相関情報を表すことができる。それによって、ユーザの種々の要求は、多くの側面において十分にカバーされえ、従って、ユーザは、要求を満足する検索結果を取得できる。
【００６８】
例えば、検索クエリ「ハスキー」に対応する第１のレベルの要求ディメンションは、「購入の決定方法」、「無邪気なハスキー」、「飼育方法」及び「逸話」でありえる。各第１のレベルの要求ディメンションは、少なくとも１つの第２のレベルの要求ディメンションに対応することができる。例えば、第１のレベルの要求ディメンション「購入の決定方法」が「ハスキーの価格」、「飼育しやすいか？」、「純種犬の見分け」及び「購入の決定方法」のような第２のレベルの要求ディメンションに対応する。
【００６９】
提供モジュール１３０は、検索結果ページに第１の検索結果と少なくとも１つの第１のレベルの要求ディメンションとを提供するように構成される。
【００７０】
図３ａは、本発明の一実施形態に従う検索結果ページの概略図であり、図３ａに示されるように、ユーザが入力する検索クエリ「ハスキー」に関して、検索結果ページは、同じレベル（即ち、第１のレベルの要求ディメンション）で「購入の決定方法」、「無邪気なハスキー」、「飼育方法」、及び「逸話」のような複数のレベルの要求ディメンションを領域１に提供できる。各第１のレベルの要求ディメンションに対応する複数のより下位の要求ディメンション（即ち、第２のレベルの要求ディメンション）は、各第１のレベルの要求ディメンションが配置される領域に提供され、例えば、「購入の決定方法」に関しては、「ハスキーの価格」、「飼育しやすいか？」、「純種犬の見分け」及び「ほかの購入の決定方法」のような要求ディメンションが提供されうる。プリセットストラテジーに従って、その１つの要求ディメンションに対応する検索結果は、領域２に表示されることができ、プリセットストラテジーは、本発明では限定されない。例えば、要求ディメンション「ハスキーの価格」に対応する検索結果は、図３ａに表示されることができる。
【００７１】
幾つかの実施形態では、ユーザは、領域１のボタン３をクリックしてより多くの要求ディメンションを見ることができる。
【００７２】
第２の取得モジュール１４０は、ユーザによる少なくとも１つの第１のレベルの要求ディメンションに関する操作を取得するように構成される。
【００７３】
更新モジュール１５０は、ユーザの操作に対応する要求ディメンションに基づいて検索結果ページに第１の検索結果と少なくとも１つの第１のレベルの要求ディメンションとを更新するように構成される。
【００７４】
より具体的には、検索エンジンが第１の検索結果と少なくとも１つの第１のレベルの要求ディメンションを提供した後に、ユーザは、その要求に基づいて適切な操作を実行できる。第２の取得モジュール１４０は、ユーザの操作に従って第１の検索結果と少なくとも１つの第１のレベルの要求ディメンションとを決定できる。従って、更新モジュール１５０は、検索結果ページを更新する。
【００７５】
図３ｂは、本発明の他の一実施形態に従う検索結果ページの概略図であり、ユーザが要求ディメンション「購入の決定方法」をクリックした後、図３ｂに示されるように、更新された検索結果ページは、「購入の決定方法」のより下位のレベルの要求ディメンションである「ハスキーの価格」、「飼育しやすいか？」及び「ハスキーは、毛が抜けやすいか？」等を領域４に提供すると共に、要求ディメンション「購入の決定方法」に対応する検索結果を領域５に提供する。ユーザは、領域４の右側のボタン６をクリックして、要求ディメンション「購入の決定方法」に対応する他のより下位のレベルの要求ディメンションを見ることができる。
【００７６】
また、ユーザが要求ディメンション「購入の決定方法」をクリックすると、検索クエリを再び入力することなく、検索クエリは、「ハスキーをどのように入手できるか」へ自動的に変換され、ユーザの操作が減少される。
【００７７】
幾つかの実施形態では、提供モジュール１３０が、現在の要求ディメンションに対応する幾つかのより上位のレベルの要求ディメンションを検索結果ページに提供することができ、例えば、図３ｂにおいて領域４の部分ａに示されるように、ユーザは、対応する要求ディメンションをクリックして検索結果ページの検索結果を更新できる。
【００７８】
本発明の一実施形態に係る検索エンジンでは、前記検索エンジンが、前記検索クエリに基づいて第１の検索結果と前記検索クエリに対応する少なくとも１つの第１のレベルの要求ディメンションとを決定する。これによって、一方では、ユーザは、前記少なくとも１つの第１のレベルの要求ディメンションに基づいて、ユーザの要求に対応する検索クエリ及び対応する検索結果を迅速に検出できる。ユーザは、ユーザの要求を満足する検索結果を取得するための検索クエリを構成する方法を知らないとの関連技術の欠点が克服されることができ、それによって、ユーザが検索クエリを構成する方法を知らない場合でも、ユーザの要求を満足する検索結果が、複数のレベルの要求ディメンションに基づいて段階的に確定されることができる。他方では、ユーザは、検索結果ページにおける異なる要求ディメンションをクリックすることによって対応する検索結果を取得できる、即ち、検索結果は、再び、検索することなく知的インターフェースによって自動的に取得されえ、ユーザの検索コストが減少する。また、要求ディメンションは、検索クエリの意味論的意味に密に関連し且つユーザの要求を満足する多側面的な多方向的相関情報であり、例えば、前記複数のレベルの要求ディメンションは、複数の第１のレベルの要求ディメンションに基づいて検索クエリの横方向の相関情報を表し、また、複数の下位レベルの要求ディメンションに基づいて縦方向の相関情報を表し、それによって、情報（解決方法、価格情報及び操作のボタンを備えることができる）は、多くの側面からユーザに提供されることができる。その結果、ユーザは、要求を満足する検査結果を取得できる。
【００７９】
図６に示されるように、本発明の一実施形態では、更新モジュール１５０は、実行ユニット１５１、生成ユニット１５２及び提供ユニット１５３を含む。
【００８０】
具体的には、実行ユニット１５１は、ユーザの操作に対応する要求ディメンションに基づいて第２の検索結果を得るために検索を実行するように構成される。例えば、図３ａに示されるように、ユーザが要求ディメンション「購入の決定方法」をクリックすると、検索エンジンは、要求ディメンション「購入の決定方法」に基づいて第２の検索結果を取得できる。生成ユニット１５２は、ユーザの操作に対応する要求ディメンションに従って少なくとも１つの第２のレベルの要求ディメンションを生成するように構成される。例えば、図３ａに示されるように、ユーザが要求ディメンション「購入の決定方法」をクリックすると、「ハスキーの価格」、「飼育しやすいか？」、「純種犬の見分け」及び「ほかの購入の決定方法」のような第２のレベルの要求ディメンションが検索エンジンによって生成しうる。提供ユニット１５３は第２の検索結果と少なくとも１つの第２のレベルの要求ディメンションを検索結果ページに提供するよう構成される。例えば、検索結果ページに提供される第２の検索結果と少なくとも１つの第２のレベルの要求ディメンションとは図３ｂに示されるようであり得る。
【００８１】
このように、本発明の一実施形態に係る検索エンジンは、ユーザの操作に対応する要求ディメンションに基づいて第２の検索結果と少なくとも１つの第２のレベルの要求ディメンションを検索結果ページに提供できる。それによって、第２の検索結果と少なくとも１つの第２のレベルの要求ディメンションとは、ユーザの要求と意図に応じることができ、ユーザの要求は、直接確定可能であり、検索クエリを再び入力するためのユーザの検索コストを減少する。
【００８２】
幾つかの実施形態では、要求ディメンションは、種々の方法で取得されることができ、例えば、要求ディメンションは、ユーザの検索ログを解析することによって取得されることができる。幾つかの実施形態では、検索エンジンは、検索結果を意味解析することによって検索クエリに対応する少なくとも１つの第１のレベルの要求ディメンションを決定し、そこでは、意味解析は、ここでは記述されないが、関連技術を参照して理解することができる。
【００８３】
図７に示されるように、検索エンジン１００は、第１の取得モジュール１１０、決定モジュール１２０、提供モジュール１３０、第２の取得モジュール１４０、更新モジュール１５０及び順序付けモジュール１６０を含む。
【００８４】
具体的には、順序付けモジュール１６０は、クエリの照会頻度及び／又はユーザの検索記録に従って少なくとも１つの第１のレベルの要求ディメンションにおいて複数の第１のレベルの要求ディメンションを順序付けるように構成される。より具体的には、複数の第１のレベルの要求ディメンションを順序付けることは、関連技術を参照でき、それは、ここでは記述されない。人気のある要求ディメンションは、複数の第１のレベルの要求ディメンションを順序付けることによって、第１のレベルの要求ディメンションのリストのトップに位置することができる。
【００８５】
図８は、本発明の他の一実施形態に係る検索エンジンのブロック図である。図８に示されるように、検索エンジン１００は、第１の取得モジュール１１０、決定モジュール１２０、提供モジュール１３０、第２の取得モジュール１４０、更新モジュール１５０、順序付けモジュール１６０及び推奨モジュール１７０を含む。
【００８６】
具体的には、推奨モジュール１７０は、ユーザの操作に対応する要求ディメンションに基づいて検索結果ページに推奨項目を提供するように構成される。より具体的には、推奨項目は、検索クエリに関連するエンティティであり、それによって、推奨項目は、ユーザが全ての態様において検索クエリに関連するエンティティを理解するのを助ける。その推奨項目は、潜在的かつ後発的需要や関連する訴求であってもよい。また、推奨項目は、ユーザが検索意図を明瞭にすることを助けるために要求ディメンションを提供することに加えて、ユーザにより多くの関連するエンティティを提供できる。このように、ユーザは、残念に思うことなく、推奨項目は、ユーザの操作に対応する要求ディメンションに従って検索結果ページ中に提供されえる。例えば、図３ｃは、本発明の更に他の一実施形態に従う検索結果ページの概略図であり、図３ｃに示されるように、ユーザが検索クエリ「ハスキーに死んだ振りをすることを教える」ことを検索すると、検索エンジンは、検索結果ページに死んだ振りをするためのトレーニング方法を提供でき、ユーザが死んだ振りをするトレーニング方法を取得した後、「関連する犬」及び「他のユーザによる検索」のような関連するエンティティは、領域７において提供されうる。また、ユーザは、潜在的な需要又は関連する訴求を抱えることがある。ユーザは、死んだ振りをするトレーニング方法を閲覧した後、ハスキーに死んだ振りをトレーニングするのが困難であると感じる場合、ユーザは、ハスキーのトレーニングを助けるペットトレーニングの専門機構を知りたくなることがあり、さらに、ハスキーをトレーニングする幾つかの有名な犬トレーナーを知りたくなることもある。従って、ペットトレーニングの専門機構及び有名な犬トレーナーが、図３ｃにおける領域８に検索エンジンによって推奨されることができる。
【００８７】
本発明の実施形態によって提供される検索方法を実行するための１つ以上のプログラムを含む、非一時的コンピュータ可読記憶媒体が本発明の実施形態によって提供される。
【００８８】
フロートチャートに記述される任意のプロセス又は方法や他の手段は、特定の論理機能やプロセスを達成するように構成される、手順の１つ以上の実行可能命令コードを含むモジュール、セグメント又は部分として理解することができ、且つ本発明の好適な実施形態は、他の性能を含み、その性能は、示され又は論じられた順序の代わりに他の順序、例えば、略同様な方法で又は逆の順序で達成することができ、それは、本発明の実施形態が属する技術分野の通常の知識を有する当業者によって理解されるべきである。
【００８９】
論理機能を実行するための実行可能コードの固定シーケンステーブルのような、以下の流れ図に示される又は他の手段で記述される論理及び／又は手順は、コード実行システム、デバイス又は機器（コンピュータに基づくシステム、プロセッサを含むシステム、又はコード実行システム、デバイス及び機器からコードを取り出しコードを実行する他のシステム）によって採用され又はコード実行システム、デバイス又は機器が組み合わされて使用されるように任意のコンピュータ可読記憶媒体において実行されることができる。本発明の記述に関して、「コンピュータ可読媒体（ｔｈｅ  ｃｏｍｐｕｔｅｒ  ｒｅａｄａｂｌｅ  ｍｅｄｉｕｍ）」は、コード実行システム、デバイス又は機器によって使用され又はコード実行システム、デバイス又は機器と組合されるように、記憶する、通信する、伝搬する又は転送するプログラムを含む任意のデバイスであり得る。コンピュータ可読媒体は、特定の例（非排他的列挙）として、１つ以上のワイヤ配置を有する接続部（電子デバイス）、ポータブルコンピュータディスクカートリッジ（磁気デバイス）、ランダムアクセスメモリ（ＲＡＭ），リードオンリーメモリ（ＲＯＭ）、電子的にプログラム可能なリードオンリーメモリ（ＥＰＲＯＭＭ又はフラッシュメモリ）、及び光ファイバデバイス及びコンパクトディスクリードオンリーメモリ（ＣＤＲＯＭ）を含む。また、コンピュータ可読記憶媒体は、紙やプログラムが印刷される他の適切な媒体であってもよく、紙や他の適切な媒体が光学的に走査され、次に、電子的にプログラムを取得する必要がある時に他の方法で編集、解読又は処理され、そのプログラムは、コンピュータメモリに記憶されることができる。
【００９０】
当然のことながら、本発明の各部分は、ハードウェア、ソフトウェア、ファームウェア又はそれらの組合せによって実現されえる。本発明の上記実施形態において、複数の手順又は方法は、コンピュータメモリに記憶されたソフトウェア又はハードウェアによって実現されえ、且つ適切なコード実行システムによって実行されえる。例えば、本発明の他の一実施形態のように複数の手順又は方法が、ハードウェアによって実現される場合、１つ以上のデータ信号が印加されると種々の論理機能を実施するための論理ゲートを含む離散的論理回路、適切な論理ゲートを有するアプリケーション指定集積回路、プログラマブルゲートアレイ（ＰＧＡ）、フィールドプログラマブルゲートアレイ（ＦＰＧＡ）のような既知の技術やそれらの組合せの任意の物が使用されえる。
【００９１】
上記実施形態の方法におけるステップの全て又は一部は、プログラムを介して関連するハードウェアに命令することによって実行されえ、そのプログラムは、コンピュータ可読記憶媒体に記憶されえ、且つプログラムは、そのプログラムが実行される時に、その方法の１つのステップ又はそれらのステップの組合せを含むことが当業者によって理解される。
【００９２】
また、本発明の各機能ユニットは、進行モジュールに一体化されても、各機能ユニットは、１つの独立のユニットとして存在する、又は２つ以上の機能ユニットが１つのモジュールに一体化されてもよい。一体化モジュールは、ハードウェア又はソフトウェアに具体化されることができる。一体化モジュールがソフトウェアに具体化され、独立の製品として売られる又は使用される場合、それは、コンピュータ可読記憶媒体に記憶されることができる。
【００９３】
上述のコンピュータ可読記憶媒体は、限定的ではないが、リードオンリーメモリ、磁気ディスク又は光ディスクであり得る。
【００９４】
本明細書全体を通しての「実施形態」、「幾つかの実施形態」、「一実施例」、「他の例」、「例」、「特定の例」、又は「幾つかの例」の参照は、その実施形態又は例に関連して記述される特定の機能、構造、材料、又は特性が本発明の少なくとも一実施形態又は一例に含まれることを意味する。このように、この明細書全体を通して種々の場所での「幾つかの実施形態では」、「一実施形態では」、「実施形態では」、「他の例では」、「例では」、「特定の例において」、又は「幾つかの例において」は、本発明の同じ実施形態又は例を必ずしも指していない。更に、特定の機能、構造、材料、又は特性は、１つ以上の実施形態又は例において任意の適切な方法で組み合わされることができる。
【００９５】
説明的実施形態が示され且つ記述されたが、上記の実施形態は、本発明を制限するものとは解釈することができず、変化、代替、及び変更が本発明の精神、原理及び範囲から離れることなく実施形態においてなされえることは、当業者に理解される。
【図１ａ】
2015204099.tif 000003
【図１ｂ】
2015204099.tif 000004
【図２】
2015204099.tif 000005
【図３ａ】
2015204099.tif 000006
【図３ｂ】
2015204099.tif 000007
【図３ｃ】
2015204099.tif 000008
【図４】
2015204099.tif 000009
【図５】
2015204099.tif 000010
【図６】
2015204099.tif 000011
【図７】
2015204099.tif 000012
【図８】
2015204099.tif 000013
【外国語明細書】
2015204099000001.pdf
2015204099000002.pdf
2015204099000003.pdf
2015204099000004.pdf